(57)【要約】　【課題】　角度が小さい領域で作動したとしても、大きい制動力および減衰力を発生させるピボット式ダンパーを提供する。　【解決手段】　内側と外側の円筒体の間に、２つの部屋（２５，２６）が、隙間（１７）または絞りの位置によって互いに区切られており、前記部屋（２５，２６）は液体を収容している。この液体は、両円筒体が相対的に回転する結果、一方の部屋から他方の部屋へ移動する。【選択図】　図４
2004076941.tif 000002
【特許請求の範囲】
【請求項１】
　内側円筒体（２）を相対的に回転可能に包囲する外側円筒体（１）を備え、
　前記両円筒体（１，２）の間に、隙間（１７）または絞りの位置によって互いに区切られた２つの部屋（２５，２６）が設けられており、これらの部屋には、前記両円筒体（１，２）が相対的に回転する結果、一方の部屋から他方の部屋へ移動する液体が充填されていることを特徴とするピボット式ダンパー。
【請求項２】
　前記相対的に回転可能な両円筒体（１，２）は、同心軸上で回転可能に設けられ、
　前記内側円筒体（２）は、その円周方向に沿って、半径が大きい方の円筒状部（４）と、半径が小さい方の円筒状部（３）とを備えており、
　前記半径が大きい方の円筒状部（４）は、前記外側円筒体（１）の円筒状壁部（１３）に支持され、該壁部（１３）の内周面の半径は、前記大きい方の半径とほぼ一致しており、前記半径が小さい方の円筒状部（３）と前記外側円筒体（１）の壁との間に、前記２つの部屋（２５，２６）を含むシェル状空間が形成されており、
　前記回転軸と平行な外側円筒体の壁は、頂点領域で前記半径が小さい方の円筒状部（３）とともに隙間（１７）を形成する絞り（１６，３０）を備えており、
　前記内側円筒体（２）の半径が小さい方の円筒状部（３）の端部領域は、前記外側円筒体（１）に対して封止されていることを特徴とする請求項１記載のピボット式ダンパー。
【請求項３】
　前記シェル状空間（２５，２６）の片側の封止は、前記半径が小さい方の円筒状部（３）の外周に延出した部分環状つば（７）からなり、前記部分環状つば（７）の半径は、前記半径が大きい方の円筒状部（４）の半径にほぼ相当しており、前記部分環状つば（７）は、前記絞り（１６，３０）に隣接する前記外側円筒体（１）の前記円筒状壁部（１３）に支持されていることを特徴とする請求項１または２記載のピボット式ダンパー。
【請求項４】
　前記外側円筒体（１）は、穿孔（２０）を有する底面（１９）を備えており、該底面（１９）の端縁の領域に形成された凹部に、封止リング（２３）が保持されており、該封止リング（２３）は、内側円筒体（２）の端面に当接していることを特徴とする請求項１ないし３のうちいずれか１項に記載のピボット式ダンパー。
【請求項５】
　前記内側円筒体（２）の一方の端部は、環状つば（８）を備えており、該環状つば（８）の外周領域は、封止リング（１０）によって前記外側円筒体（１）の円筒状内壁に対して封止されていることを特徴とする請求項１ないし４のうちいずれか１項に記載のピボット式ダンパー。
【請求項６】
　前記内側円筒体（２）の前記両円筒状部（３，４）は、それぞれ１８０°の範囲にわたって形成されていることを特徴とする請求項１ないし５のうちいずれか１項に記載のピボット式ダンパー。
【請求項７】
　前記内側円筒体（２）の前記両円筒状部（３，４）の間の段部（５）が、前記外側円筒体（１）の前記絞り（１６，３０）の両側の段部（１５）によって形成されるエンドストップによって支持されることを特徴とする請求項１ないし６のうちいずれか１項に記載のピボット式ダンパー。
【請求項８】
　前記外側円筒体（１）の内壁の前記絞り（３０）の断面は、幅の長い傾斜面（３１）と、幅の短い窪んだ面（３２）とを備えていることを特徴とする請求項１ないし７のうちいずれか１項に記載のピボット式ダンパー。
【請求項９】
　前記内側円筒体（２）は、前記外側円筒体（１）の底面（１９）の穿孔（２０）と同じ高さにある穿孔（６）を備えていることを特徴とする請求項１ないし８のうちいずれか１項に記載のピボット式ダンパー。
【請求項１０】
　前記環状つば（８）と、前記部分環状つば（７）と、前記内側円筒体の大きい方の半径を持つ円筒シェル状部（４）との間に、環状溝（１１）が形成されていることを特徴とする請求項１ないし９のうちいずれか１項に記載のピボット式ダンパー。
【請求項１１】
　前記内側円筒体（２）の半径が大きい方の円筒状部（４）と、前記内側円筒体（２）の円筒状部（４）を包囲する外側円筒体（１）の円筒状壁部（１３）との間に、遊びがあることを特徴とする請求項１ないし１０のうちいずれか１項に記載のピボット式ダンパー。
【請求項１２】
　前記液体は粘性の高い液であることを特徴とする請求項１ないし１１のうちいずれか１項に記載のピボット式ダンパー。
【請求項１３】
　前記粘性の高い液はグリースであることを特徴とする請求項１ないし１２に記載のピボット式ダンパー。
【請求項１４】
　前記内側円筒体（２）は回転できないように心軸（４５´）に保持されていることを特徴とする請求項１ないし１３のいずれか１項に記載のピボット式ダンパー。
【請求項１５】
　前記心軸（４５´）は、一方のヒンジ部品（４０）に回転できないように連結されており、前記外側円筒体（１）は、他方のヒンジ部品（４３）に連結された対応するエンドストップによって限定された回動角の領域にわたって前記他方のヒンジ部品（４３）の動きを減衰させる少なくとも一つのエンドストップ（２１，２８）を備えていることを特徴とする請求項１ないし１４のうちいずれか１項に記載のピボット式ダンパー。
【請求項１６】
　前記内側円筒体（２）は、ダブルスイングアーム式ヒンジのヒンジ部品（４０）に保持されており、前記ヒンジ部品（４０）には、前記ダブルスイングアーム式ヒンジを構成するスイングアーム（４１）の一端が配置されており、前記スイングアーム（４１）の一端は、前記対応するエンドストップを形成するよう延出し、前記外側円筒体（１）の前記少なくとも一つのエンドストップ（２１，２８）と連動するレバーアーム（５０）を備えていることを特徴とする請求項１５記載のピボット式ダンパー。
【請求項１７】
　前記外側円筒体（１）の一端には、前記エンドストップを形成するＶ字状リブ（２１）が設けられていることを特徴とする請求項１５または１６記載のピボット式ダンパー。
【請求項１８】
　前記外側円筒体（１）の他端には、２つのエンドストップカム（２８）が設けられていることを特徴とする請求項１７記載のピボット式ダンパー。
【発明の詳細な説明】
【技術分野】
【０００１】
　本発明はピボット式ダンパーに関する。
【背景技術】
【０００２】
　例えば、ドア、家具のドア、フラップ等がその閉められた位置でエンドストップと当接する時の突き出し効果を防止するため、ドア、フラップ等をそれが閉まるまでの領域で減衰させる減衰装置において、角度が小さい領域でも減衰効果を発揮することが可能な減衰装置が必要とされている。
【０００３】
　家具のドア用減衰装置は公知であり、該装置は、制動液およびピニオンを有する回転式ダンパーを備えており、該回転式ダンパーはヒンジと連結されて、ピニオンは、歯の付いたラックの輪郭と噛合するか、または、前記ヒンジのエンドストップ部品の歯と噛合する（例えば、特許文献１参照）。
【特許文献１】独国実用新案第２０１０４１００Ｕ１号
【発明の開示】
【発明が解決しようとする課題】
【０００４】
　しかしながら、この種の回転式ダンパーでは、基本的に、回転式ダンパーに充填されている粘性の高い媒体の分子摩擦によって制動力または減衰力が実現されているに過ぎない。そのため、前記回転式ダンパーは、ドアまたはフラップが閉まるまでの領域に対応する角度が小さい領域で比較的小さい減衰効果しか提供しない。
したがって、本発明の目的は、角度が小さい領域で作動したとしても、大きい制動力および減衰力が発生するピボット式ダンパーを作成することである。
【課題を解決するための手段】
【０００５】
　本発明によれば、内側円筒体を相対的に回転可能に包囲する前記外側円筒体を備え、前記両円筒体の間に、隙間または絞りの位置によって互いに区切られた２つの部屋が設けられており、これらの部屋には、前記両円筒体が相対的に回転する結果、一方の部屋から他方の部屋へ移動する液体が充填されているピボット式ダンパーによって、前記目的が達成される。
【０００６】
　本発明のピボット式ダンパーによれば、減衰効果が液体中の分子摩擦によって実現されるだけでなく、その液体が一方の部屋から他方の部屋へ移動する際の液体の抑制によっても実現されるので、小さい回動角でも大きい制動力を生じることが可能である。
【０００７】
　本発明の好適な実施形態では、前記相対的に回転可能な両円筒体は、同心軸上で回転可能に設けられ、前記内側円筒体は、その円周方向に沿って、半径が大きい方の円筒状部と、半径が小さい方の円筒状部とを備えており、前記半径が大きい方の円筒状部は、前記外側円筒体の円筒状壁部に支持され、該壁部の内周面の半径は、前記大きい方の半径とほぼ一致しており、前記半径が小さい方の円筒状部と前記外側円筒体の壁との間に、前記２つの部屋を含むシェル状空間が形成されており、前記回転軸と平行な外側円筒体の壁は、頂点領域で前記半径が小さい方の円筒状部とともに隙間を形成する絞りを備えており、前記内側円筒体の半径が小さい方の円筒状部の端部領域は、前記外側円筒体に対して封止されている。本実施形態によれば、前記外側円筒体の内壁の絞りが、シェル状空間を前記２つの部屋に分割しており、両円筒体が相対回転する際に、前記液体は、一方の部屋から隙間を介してもう一方の部屋へ移動するため、減衰力が生じる。
【０００８】
　前記シェル状空間の片側の封止は、前記半径が小さい方の円筒状部の外周に延出した部分環状つばからなり、前記部分環状つばの半径は、半径が大きい方の円筒状部の半径にほぼ相当しており、前記部分環状つばは、前記絞りに隣接する前記外側円筒体の前記円筒状壁部に支持されていてもよい。
【０００９】
　内側円筒体の他方の側を外側円筒体に対して封止するために、前記外側円筒体は、穿孔を有する底面を備えており、該底面の端縁の領域に形成された凹部に、封止リングが保持されており、該封止リングは、内側円筒体の端面に当接していてもよい。
【００１０】
　本発明の更なる実施形態では、前記内側円筒体の一方の端部は、環状つばを備えており、該環状つばの外周領域は、封止リングによって前記外側円筒体の円筒状内壁に対して封止されている。前記内側円筒体の両側の端部領域にある２つの封止リングによって、前記内側円筒体は、外側円筒体に封止されるので、減衰に用いられる前記液体は流出不可能である。
【００１１】
　好ましくは、前記内側円筒体の前記両円筒状部は、それぞれ１８０°の範囲にわたって形成されている。そのため、前記両円筒状部は、同じ直径面上にある段部によって分けられている。
【００１２】
　好ましくは、前記内側円筒体の前記両円筒状部の間の段部が、前記外側円筒体の前記絞りの両側の段部によって形成されるエンドストップによって支持される。これらのエンドストップによって、前記両円筒体が相対的に枢転可能な角度が決まる。
【００１３】
　好適な実施形態では、前記外側円筒体の内壁の前記絞りの断面は、幅の長い傾斜面と、幅の短い窪んだ面とを備えている。このような面の構成によって、前記外側円筒体を前記内側円筒体に対して前記傾斜面の方向に回転させると、反対方向に回転した場合より抵抗が小さい状態になる。例えば、ドアが急に閉められる場合に閉まるまでの領域で生じる抵抗より小さい抵抗でドアを開けることができるようにするためには、このような異なった抵抗が好ましい。
【００１４】
　好ましくは、前記環状つばと、前記部分環状つばと、前記内側円筒体の大きい方の半径を持つ円筒シェル状部との間に、環状溝が形成され、前記環状溝は制動液を蓄積する。
【００１５】
　好ましくは、前記内側円筒体の半径が大きい方の円筒状部と、前記内側円筒体の円筒状部を包囲する外側円筒体の円筒状壁部との間に、遊びがあってもよい。前記内側円筒体と前記外側円筒体との間の環状隙間に制動液があるので、前記制動液の分子摩擦は、遊びの量によって決まる。
【００１６】
　大きい減衰効果を実現するために、制動液は粘性の高い液である。好ましくは、前記粘性の高い液はグリースである。
【００１７】
　本発明に係るピボット式ダンパーを容易に設けることができるように、前記内側円筒体を回転できないように心軸に保持してもよい。
【００１８】
　本発明に係る更なる実施形態では、前記心軸は、一方のヒンジ部品に回転できないように連結されており、前記外側円筒体は、他方のヒンジ部品に連結された対応するエンドストップによって限定された回動角の領域にわたって前記他方のヒンジ部品の動きを減衰させる少なくとも一つのエンドストップを備えている。
【００１９】
　前記ヒンジがダブルスイングアーム式ヒンジである場合、前記内側円筒体は、ダブルスイングアーム式ヒンジのヒンジ部品に保持されており、前記ヒンジ部品には、前記ダブルスイングアーム式ヒンジを構成するスイングアームの一端が配置されており、前記スイングアームの一端は、前記対応するエンドストップを形成するよう延出し、前記外側円筒体の少なくとも一つのエンドストップと連動するレバーアームを備えている。好ましくは、前記外側円筒体の一端には、前記エンドストップを形成するＶ字状リブが設けられている。また、前記外側円筒体の他端には、２つのエンドストップカムが設けられている。したがって、前記スイングアームは、２つのフォーク状延長部を備えることができる。
【発明を実施するための最良の形態】
【００２０】
　以下、本発明の一実施の形態を図面に基づいて詳細に説明する。
【００２１】
　本発明に係るピボット式ダンパーは、外側円筒体１を備えており、該外側円筒体１は、相対的に回転可能な内側円筒体２を包囲している。図１は、分解後の斜視図で前記２つの円筒体を示している。
【００２２】
　前記内側円筒体２は、大小の半径を有する２つの半円筒状シェルが一体的に形成された部分を有している。前記２つの半円筒状シェルは中央の穿孔６を中心にして両側に分かれ、同心円状になっており、同一直径面上に位置する段部５を形成している。２つの円筒状シェル（円筒状部）３および４を有する内側円筒体２の部分は、部分環状つば７によって区切られており、つば７の半径は、大きい方の半径を有する円筒状シェル４に相当する。内側円筒体２は、前記円筒状シェル３，４と反対側の端部に、更に環状つば８を備えており、このつば８は、封止リング１０が挿入される外周環状溝９を備えている。前記部分環状つば７と前記環状つば８との間には、環状溝１１がある。
【００２３】
　内側円筒体２は、図２に示すようにして、外側円筒体１に挿入される。前記外側円筒体１は、円筒状内壁（円筒状壁部）１３からなる中心部を構成しており、該円筒状内壁１３は、図示の実施の形態では、内壁全周の約２１０°の範囲に及んでいる。内壁は、この環状領域１３の両端を結ぶ区間に、周部１４を備えており、該周部１４は、軸方向に延びる両側の段部１５によって環状領域１３と区切られている。これらの段部の間に、前記周部１４は、軸方向に延びるビード（玉縁）からなる絞り１６を備えており、前記絞り１６は、前記小さい方の半径を持つ円筒状シェル部３との間に隙間１７を形成している。前記絞り１６を備えている周部１４は、図２に示す左側の面が内側円筒体２の部分環状つば７の右側面に当接している。
【００２４】
　前記絞り１６を含む周部１４の領域では、前記円筒状本体１は、前記周部１４を押し込んでいる平坦領域１８を備えている。
【００２５】
　前記外側円筒体１は、図２に示すその右側部分が、穿孔２０を備えた底面１９によって仕切られている。前記穿孔２０は、図６ないし図９に示すように、ダブルスイングアーム式ヒンジのレバー５０に対するエンドストップを形成するＶ字状リブ２１によって囲まれている。
【００２６】
　前記内側円筒体２の穿孔６は、前記穿孔２０と同心軸上にあり、同じ直径を有する。
【００２７】
　前記絞り１６を備えた周部１４の図２に示す右側は、外側円筒体１の穿孔２０を備えた底面１９への移行部を形成している。穿孔２０を備えたその端部領域では、前記底面１９は、封止リング２３が保持される凹部を備えており、前記封止リング２３は、内側円筒体２の円筒状シェル３および４の面に当接して封止シールを形成している。
【００２８】
　内側円筒体２側の大きい方の半径を有するシェル状部分４および部分環状つば７と、これらの部分４，７を包囲する外側円筒体１側の円筒状壁部１３との間に、グリースが充填された隙間（遊び）２４が存在する。前記外側円筒体１と前記内側円筒体２との間のシェル状空間の前記絞り１６によって区切られている部屋２５および２６と、前記環状空間１１も同様にグリースが充填されている。このように配置して、前記環状空間１１は、図２に示すように、グリース用の蓄積空間を形成している。
【００２９】
　前記外側環状つば８の直径は、延出する環状つば７を有する円筒状シェル４の直径より僅かに大きく、前記外側環状つば８の外側円筒体１の円筒状内壁１３に向いている面は、環状封止シール１０によって封止されている。
【００３０】
　前記外側円筒状本体１は、図２に示す左側端部に、Ｖ字状リブ２１に対応するエンドストップを形成する軸方向延出部（エンドストップ，エンドストップカム）２８を備えている。
【００３１】
　軸状に延出した段部１５によって、前記絞り１６より内方に位置する周部１４が前記円筒状壁部１３と区切られており、該段部１５は、内側円筒体２の半円筒状部３および４の間に形成された段部５のエンドストップになる。これにより、図示の実施の形態では、前記内側円筒体２は、外側円筒体１に対して約６０°の角度だけ回転可能である。
【００３２】
　図５に係る実施の形態は、壁部１４の絞り３０が片側に平坦な傾斜面３２を備えており、その頂点のもう片側には、空洞部（窪んだ面）３２を備えている点で、図３および図４に係る実施の形態と異なっている。
【００３３】
　図６ないし図９には、一般的なダブルスイングアーム式ヒンジが示されており、そのヒンジアーム４０は、２つのスイングアーム４１および４２を介して、枢転可能なヒンジヘッド４３に連結されている。前記内側スイングアーム４２は、内側に丸められている端部から外方に折り曲げられた舌状部４４を備えており、その舌状部４４は、通常の方法で、ヘアピンのように湾曲した二重式閉鎖バネ４５と連動する。
【００３４】
　前記ダブルスイングアーム式ヒンジは、図１ないし図５に示したピボット式ダンパーを備えている点で、従来とは異なっている。前記ピボット式ダンパーは１つの心軸４５´回りに設けられ、該心軸４５´は、Ｕ字状ヒンジアーム４０の両側脚部４６の間に回転できないように保持されている。該心軸４５´は、内側円筒体２の穿孔６および外側円筒体１の穿孔２０を貫通している。前記内側円筒体２は、例えば、ピンを介して、回転できないように前記心軸４５´に連結しているが、前記外側円筒体２は、スタッド４５´に対して枢転可能になっている。
【００３５】
　図示の実施の形態において、前記ヒンジアーム４０は、戸棚の壁または枠組み部４８に連結され、前記枢転可能なヒンジヘッド４３はドア４９に連結されている。枢転可能なヒンジ部品４３の、図７に示すピボットの位置と図８に示すピボットの位置との間、すなわち、約５°から６°の角度領域αで激しく閉められたときのドアの動きを減衰するために、Ｕ字状に曲げられた薄板金部品からなる前記外側ヒンジアーム４１は、該ヒンジアーム４１の脚部から延出したフォーク状レバー５０を備えている。該フォーク状レバー５０は、図示のように、前記外側円筒体１のエンドストップを形成するリブ２１と、前記外側円筒体１のエンドストップを形成する突起部２８とに当接する。
【００３６】
　レバー５０は、ドア４９を開くときは、ピボット式ダンパーの外側円筒体を、図６および図９に示すように時計回りに回転させる。そのため、アーム５０は、エンドストップ２１および２８からすべって外れる。しかしながら、図７および８に示すように前記ドアを閉めると、レバーアーム５０が、上部エンドストップ２１および２８に当接するため、前記ドアは、閉まるまでの領域で減衰され、従って、強い衝撃で閉められることがない。
【図面の簡単な説明】
【００３７】
【図１】本発明に係るピボット式ダンパーの分解斜視図である。
【図２】図１に係るピボット式ダンパーの設置された状態における長手方向の断面図である。
【図３】ピボット式ダンパーの端部位置を示す、図２の線Ａ−Ａに沿うピボット式ダンパーの断面図である。
【図４】ピボット式ダンパーの端部位置を示す、図２の線Ａ−Ａに沿うピボット式ダンパーの断面図である。
【図５】異なった構成のピボット式ダンパーの図３および４対応断面図である。
【図６】図１ないし図５に係るピボット式ダンパーを備える枢転可能な皿状ヒンジ部品のピボットの位置が異なったダブルスイングアームのヒンジの長手方向の断面図である。
【図７】図１ないし図５に係るピボット式ダンパーを備える枢転可能な皿状ヒンジ部品のダブルスイングアームのヒンジの長手方向の断面図である。
【図８】図１ないし図５に係るピボット式ダンパーを備える枢転可能な皿状ヒンジ部品のピボットの位置が異なったダブルスイングアームのヒンジの長手方向の断面図である。
【図９】図１ないし図５に係るピボット式ダンパーを備える枢転可能な皿状ヒンジ部品のピボットの位置が異なったダブルスイングアームのヒンジの長手方向の断面図である。
【符号の説明】
【００３８】
　１　　　外側円筒体
　２　　　内側円筒体
　３　　　円筒状部
　４　　　円筒状部
　５　　　段部
　６　　　穿孔
　７　　　部分環状つば
　８　　　環状つば
　１０　　封止リング
　１１　　環状溝
　１３　　円筒状壁部
　１６　　絞り
　１７　　隙間
　１９　　底面
　２０　　穿孔
　２１　　Ｖ字状リブ（エンドストップ）
　２３　　封止リング
　２５　　部屋
　２６　　部屋
　２８　　エンドストップカム（エンドストップ）
　３０　　絞り
　３１　　傾斜面
　３２　　窪んだ面
　４０　　ヒンジ部品（ヒンジアーム）
　４１　　スイングアーム
　４３　　ヒンジ部品
　４５　　二重式閉鎖バネ
　４５´　心軸
　５０　　レバーアーム
【図１】
2004076941.tif 000003
【図２】
2004076941.tif 000004
【図３】
2004076941.tif 000005
【図４】
2004076941.tif 000006
【図５】
2004076941.tif 000007
【図６】
2004076941.tif 000008
【図７】
2004076941.tif 000009
【図８】
2004076941.tif 000010
【図９】
2004076941.tif 000011